(57)【要約】【課題】フラットケーブルに圧接コネクタを接続したワイヤハーネスの生産性を向上させることができる圧接コネクタを提供すること。【解決手段】フラットケーブル２００の被覆電線２０１を該電線の軸線と直交する方向に押し込むことで電線導体への圧接接続を果たす圧接部１４を備える複数の圧接端子１０がハウジング２０の端子収容部２４１に整列状態に支持される圧接コネクタ１において、圧接部１４は、フラットケーブル２００が押し付けられたときに被覆電線２０１の両側のブリッジ部２１１を被覆電線２０１から切り離す一対の側壁刃１４３と、一対の側壁刃１４３間に進入する被覆電線２０１の被覆を進入方向に沿って切断して刃先が電線導体と接触する圧接刃１４４と、を備える。【選択図】図９
2014086168.tif 000002
【特許請求の範囲】
【請求項１】
複数の被覆電線が平面状に配列されると共に隣接する前記被覆電線間がブリッジ部で接続されたフラットケーブルを圧接接続する圧接コネクタであって、
前記被覆電線を該被覆電線の軸線と直交する方向に押し込むことで電線導体への圧接接続を果たす圧接部を備える複数の圧接端子と、
前記フラットケーブルの複数の前記被覆電線を一括して複数の前記圧接端子の圧接部に押し込むことができるように、複数の前記圧接端子を前記フラットケーブルにおける前記被覆電線の配列ピッチに対応するピッチで整列状態に支持する端子収容部を有したハウジングと、
を備え、
前記圧接部は、前記フラットケーブルが押し付けられたときに前記被覆電線の両側の前記ブリッジ部を前記被覆電線から切り離す一対の側壁刃と、該一対の側壁刃間に進入する前記被覆電線の被覆を進入方向に沿って切断して刃先が前記電線導体と接触する圧接刃と、を備えたことを特徴とする圧接コネクタ。
【請求項２】
前記圧接刃は、前記側壁刃の一部を切り起こして形成され、切り起こしの際の折り曲げ部が前記被覆電線の進入方向に沿って延在することを特徴とする請求項１に記載の圧接コネクタ。
【請求項３】
前記ハウジングは、前記端子収容部に並ぶ複数の前記圧接端子の前記圧接部を露出させる開口部を有したハウジング本体と、前記開口部の上を覆って前記ハウジング本体に結合されるカバーと、を備え、
前記開口部に露出する各前記圧接部の上に前記フラットケーブルを載せると共に、前記フラットケーブルの上に前記カバーを載せ、前記カバーを前記ハウジング本体に結合させるために前記カバーを前記ハウジング本体側に押し込むと、前記フラットケーブルが前記圧接部に押し込まれて、前記フラットケーブルの各前記被覆電線が前記圧接部に圧接されることを特徴とする請求項１又は２に記載の圧接コネクタ。
【請求項４】
前記ハウジング本体は、上面に前記開口部を有した第１のハウジング本体と、該第１のハウジング本体の下面に積層状態に結合される第２のハウジング本体と、を備え、
前記第２のハウジング本体は、前記第１のハウジング本体が重なる上面に、前記端子収容部と前記開口部とを備え、
前記第２のハウジング本体の前記開口部に並ぶ各前記圧接部の上に前記フラットケーブルを載せた状態で、前記第２のハウジング本体の上に前記第１のハウジング本体を載置し、前記第１のハウジング本体を前記第２のハウジング本体に結合させるために前記第１のハウジング本体を前記第２のハウジング本体側に押し込むと、前記第２のハウジング本体の上に載置されていた前記フラットケーブルが前記第２のハウジング本体内の前記圧接部に押し込まれて、前記第２のハウジング本体内の前記圧接部に対する前記フラットケーブルの圧接が完了することを特徴とする請求項３に記載の圧接コネクタ。
【請求項５】
前記圧接部は、一対の前記側壁刃から前記圧接部の後端側に離間した位置にケーブル突き刺し突起を備え、該ケーブル突き刺し突起は、前記圧接部に圧接される前記フラットケーブルの前記ブリッジ部に突き刺さって前記フラットケーブルに作用する張力を受けることを特徴とする請求項１〜４の何れか一項に記載の圧接コネクタ。
【発明の詳細な説明】
【技術分野】
【０００１】
本発明は、複数の被覆電線が平面状に配列されると共に隣接する被覆電線間がブリッジ部で接続されたフラットケーブルを圧接接続する圧接コネクタに関する。
【背景技術】
【０００２】
図１３は、下記特許文献１に開示された圧接コネクタを示している。
この圧接コネクタ１００に接続されるフラットケーブル２００は、複数の被覆電線２０１が平面状に配列されると共に、隣接する被覆電線２０１間がブリッジ部２１１で接続された構成を成している。ブリッジ部２１１は、被覆電線２０１の外部被覆と同一の絶縁材料製で、被覆電線２０１の外部被覆と一体である。
【０００３】
圧接コネクタ１００は、被覆電線２０１を圧接接続する複数の圧接端子１１０と、これらの複数の圧接端子１１０を収容する端子収容部１２１を有したハウジング本体１２０と、を備えている。
【０００４】
圧接端子１１０は、圧接部１１１と、該圧接部１１１の先端に延出形成されて相手コネクタ側の接続端子に接続される不図示の端子接続部と、を備えている。特許文献１における圧接端子１１０の圧接部１１１は、対向する一対の圧接刃１１１ａ，１１１ｂによって、被覆電線２０１を押し込むスリットを形成したものである。この圧接部１１１は、一対の圧接刃１１１ａ，１１１ｂ間のスリットに、被覆電線２０１を該電線の軸線と直交する方向（図１３の矢印Ｘ１方向）に沿って押し込むと、一対の圧接刃１１１ａ，１１１ｂの対向する内側面（刃）が被覆電線２０１の被覆を切断して電線導体に接触し、電線導体への圧接接続を果たす。
【０００５】
ハウジング本体１２０における端子収容部１２１は、フラットケーブル２００の複数の被覆電線２０１を一括して複数の圧接端子１１０の圧接部に押し込むことができるように、複数の圧接端子１１０をフラットケーブル２００における被覆電線２０１の配列ピッチに対応するピッチで整列状態に支持する。また、端子収容部１２１は、収容している圧接端子１１０の圧接部１１１を外部に露出させている。
【０００６】
端子収容部１２１は、フラットケーブル２００の圧接を終了させると、ハウジング本体１２０に結合される不図示のカバーにより覆われる。
【先行技術文献】
【特許文献】
【０００７】
【特許文献１】特開２００４−１６５０５５号公報
【発明の概要】
【発明が解決しようとする課題】
【０００８】
ところで、特許文献１の圧接コネクタ１００で使用される圧接端子１１０の圧接部１１１は、被覆電線２０１自体の被覆を切断する一対の圧接刃１１１ａ，１１１ｂしか備えておらず、隣接する被覆電線２０１間がブリッジ部２１１により連結されたままの状態では、フラットケーブル２００の圧接処理が行えない。
【０００９】
そこで、特許文献１の圧接コネクタ１００にフラットケーブル２００を圧接させる際には、事前に、圧接させる範囲（図１３に矢印Ｒ１で示す範囲）のブリッジ部２１１を切除する作業が必要になる。
【００１０】
ところが、このブリッジ部２１１の切除作業には多大な労力がかかる。そのため、フラットケーブルに圧接コネクタ１００を接続したワイヤハーネスの生産性を妨げる要因となった。
【００１１】
また、特許文献１における圧接刃１１１ａ，１１１ｂは、単純な平板状で、形状的に曲げ強度が低く、変形が生じ易い。そのため、圧接端子１１０をハウジング本体１２０に装着する際、或いは圧接部１１１に被覆電線２０１を押し込む際には、圧接刃１１１ａ，１１１ｂに変形を生じさせないように、慎重な作業が求められ、この点も、ワイヤハーネスの生産性を妨げる一因となっていた。
【００１２】
更に、フラットケーブルの軸方向への移動を規制する手段は、圧接端子の圧接刃だけであるため、外部からフラットケーブルに作用する張力が圧接刃に作用して、圧接刃の変形によって圧接刃とケーブル導体との接続信頼性が低下するおそれもあった。
【００１３】
そこで、本発明の目的は、上記課題を解消することに係り、フラットケーブルに圧接コネクタを接続したワイヤハーネスの生産性を向上させることができる圧接コネクタを提供することにある。
【００１４】
更に、本発明の目的は、上記課題を解消することに係り、外部からフラットケーブルに作用する張力が圧接刃に作用せず、圧接刃とケーブル導体との接続信頼性を向上させることのできる圧接コネクタを提供することにある。
【課題を解決するための手段】
【００１５】
本発明の前述した目的は、下記の構成により達成される。
（１）  複数の被覆電線が平面状に配列されると共に隣接する前記被覆電線間がブリッジ部で接続されたフラットケーブルを圧接接続する圧接コネクタであって、
前記被覆電線を該被覆電線の軸線と直交する方向に押し込むことで電線導体への圧接接続を果たす圧接部を備える複数の圧接端子と、
前記フラットケーブルの複数の前記被覆電線を一括して複数の前記圧接端子の圧接部に押し込むことができるように、複数の前記圧接端子を前記フラットケーブルにおける前記被覆電線の配列ピッチに対応するピッチで整列状態に支持する端子収容部を有したハウジングと、
を備え、
前記圧接部は、前記フラットケーブルが押し付けられたときに前記被覆電線の両側の前記ブリッジ部を前記被覆電線から切り離す一対の側壁刃と、該一対の側壁刃間に進入する前記被覆電線の被覆を進入方向に沿って切断して刃先が前記電線導体と接触する圧接刃と、を備えたことを特徴とする圧接コネクタ。
【００１６】
（２）  前記圧接刃は、前記側壁刃の一部を切り起こして形成され、切り起こしの際の折り曲げ部が前記被覆電線の進入方向に沿って延在することを特徴とする上記（１）に記載の圧接コネクタ。
【００１７】
（３）  前記ハウジングは、前記端子収容部に並ぶ複数の前記圧接端子の前記圧接部を露出させる開口部を有したハウジング本体と、前記開口部の上を覆って前記ハウジング本体に結合されるカバーと、を備え、
前記開口部に露出する各前記圧接部の上に前記フラットケーブルを載せると共に、前記フラットケーブルの上に前記カバーを載せ、前記カバーを前記ハウジング本体に結合させるために前記カバーを前記ハウジング本体側に押し込むと、前記フラットケーブルが前記圧接部に押し込まれて、前記フラットケーブルの各前記被覆電線が前記圧接部に圧接されることを特徴とする上記（１）又は（２）に記載の圧接コネクタ。
【００１８】
（４）  前記ハウジング本体は、上面に前記開口部を有した第１のハウジング本体と、該第１のハウジング本体の下面に積層状態に結合される第２のハウジング本体と、を備え、
前記第２のハウジング本体は、前記第１のハウジング本体が重なる上面に、前記端子収容部と前記開口部とを備え、
前記第２のハウジング本体の前記開口部に並ぶ各前記圧接部の上に前記フラットケーブルを載せた状態で、前記第２のハウジング本体の上に前記第１のハウジング本体を載置し、前記第１のハウジング本体を前記第２のハウジング本体に結合させるために前記第１のハウジング本体を前記第２のハウジング本体側に押し込むと、前記第２のハウジング本体の上に載置されていた前記フラットケーブルが前記第２のハウジング本体内の前記圧接部に押し込まれて、前記第２のハウジング本体内の前記圧接部に対する前記フラットケーブルの圧接が完了することを特徴とする上記（３）に記載の圧接コネクタ。
【００１９】
（５）  前記圧接部は、一対の前記側壁刃から前記圧接部の後端側に離間した位置にケーブル突き刺し突起を備え、該ケーブル突き刺し突起は、前記圧接部に圧接される前記フラットケーブルの前記ブリッジ部に突き刺さって前記フラットケーブルに作用する張力を受けることを特徴とする上記（１）〜（４）の何れか一つに記載の圧接コネクタ。
【００２０】
上記（１）の構成によれば、ハウジングに収容される圧接端子の圧接部には、フラットケーブルが押し付けられたときに被覆電線の両側のブリッジ部を被覆電線から切り離す一対の側壁刃と、ブリッジ部から切り離されて一対の側壁刃間に進入する被覆電線と圧接状態となる圧接刃と、を備えている。
【００２１】
そのため、フラットケーブルを圧接端子の圧接部に圧接する際に、フラットケーブルの隣接する被覆電線間を接続しているブリッジ部を事前に切除する作業が不要で、フラットケーブルに圧接コネクタを接続したワイヤハーネスの生産性を向上させることができる。
【００２２】
上記（２）の構成によれば、圧接刃は、側壁刃の一部を切り起こして形成されていて、切り起こしの際に形成される折り曲げ部が、圧接刃の刃の長さ方向に沿って延在して、圧接刃の曲げ強度を向上させる補強構造として機能する。そのため、圧接刃が高強度になる。従って、圧接端子をハウジング本体に装着する際や圧接端子の圧接部に被覆電線を押し込む際に、圧接刃に変形が生じ難い。そのため、圧接端子をハウジング本体に装着する作業時や圧接端子の圧接部に被覆電線を押し込む作業時の取り扱いが容易になり、この点でも、組立時等における作業性が向上して、ワイヤハーネスの生産性を向上させることができる。
【００２３】
上記（３）の構成によれば、フラットケーブルを複数の圧接端子に圧接させる作業は、ハウジング本体上に配列されている各圧接部の上にフラットケーブルを載せ、更に、そのフラットケーブルの上にカバーを載せ、カバーをハウジング本体に結合させるためにハウジング本体側に押し込むと、カバーを介してフラットケーブルが圧接部に押し込まれて、フラットケーブルを簡単に一括接続することができる。
【００２４】
上記（４）の構成によれば、ハウジング本体は、第１のハウジング本体の下に第２のハウジング本体が積層状態に結合される構成である。更に、第１のハウジング本体と第２のハウジング本体とは、何れも上面に、複数の圧接端子を整列状態に支持する端子収容部と、端子収容部に収容されている圧接端子の圧接部を露出させる開口部と、を備えている。
【００２５】
そして、第２のハウジング本体の上面の圧接部の上にフラットケーブルを載せて、その上に載せた第１のハウジング本体を第２のハウジング本体側に押し込むと、第１のハウジング本体が、第１のハウジング本体に対するカバーと同様に、フラットケーブルを圧接刃に押し込んで圧接させる役割を果たす。
【００２６】
そのため、第２のハウジング本体には、フラットケーブルを押し込むためのカバーを装備する必要が無く、構成部品の増加を抑えて、省スペースで、多段にフラットケーブルを圧接した構造を得ることができる。
【００２７】
上記（５）の構成によれば、圧接端子における圧接部には、ケーブル突き刺し突起が設けられていて、このケーブル突き刺し突起がフラットケーブルのブリッジ部に突き刺さって、フラットケーブルに作用する張力を受ける。そのため、外部からフラットケーブルに作用する張力が圧接刃に作用することを防止する。従って、圧接刃がフラットケーブルに作用する張力によって変形することを防止して、圧接刃とケーブル導体との接続信頼性を向上させることができる。
【発明の効果】
【００２８】
本発明による圧接コネクタによれば、ハウジングに収容される圧接端子の圧接部には、フラットケーブルが押し付けられたときに被覆電線の両側のブリッジ部を被覆電線から切り離す一対の側壁刃と、ブリッジ部から切り離されて一対の側壁刃間に進入する被覆電線と圧接状態となる圧接刃と、を備えている。
【００２９】
そのため、フラットケーブルを圧接端子の圧接部に圧接する際に、事前にフラットケーブルの隣接する被覆電線間を接続しているブリッジ部を切除する作業が不要で、フラットケーブルに圧接コネクタを接続したワイヤハーネスの生産性を向上させることができる。
【００３０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３１】
【図１】図１は本発明に係る圧接コネクタの一実施形態の組立状態の斜視図である。
【図２】図２は図１に示した圧接コネクタを図１とは別の角度から視た斜視図である。
【図３】図３は一実施形態の圧接コネクタの第２のハウジング本体の上に第１のハウジング本体が重ねられる状況の斜視図である。
【図４】図４は本発明の一実施形態で使用している圧接端子の斜視図である。
【図５】図５は図４に示した圧接端子の圧接刃の装備状態を示した斜視図である。
【図６】図６は一実施形態における第１のハウジング本体の端子収容部に圧接端子が装着される前の状態を示す斜視図である。
【図７】図７は一実施形態における第１のハウジング本体の端子収容部に圧接端子が装着された状態の斜視図である。
【図８】図８は一実施形態の第１のハウジング本体上の圧接部の上にフラットケーブルが配置され、更に、フラットケーブルの上にカバーが配置された状態の斜視図である。
【図９】図９は図８の状態における圧接部と、フラットケーブルと、カバーの位置関係を示す要部断面図である。
【図１０】図１０は第１のハウジング本体へのカバーの結合操作時に、カバーの下のフラットケーブルに圧接刃が刺さる過程を段階的に示した斜視図であり、図１０（ａ）は過程の前期、図１０(ｂ)は過程の中期、図１０（ｃ）は過程の後期を表す斜視図である。
【図１１】図１１は第１のハウジング本体にカバーが結合された状態の斜視図である。
【図１２】図１２は第１のハウジング本体へのカバーの結合によってフラットケーブルの圧接が完了した状態を示す断面図である。
【図１３】図１３は従来の圧接コネクタのフラットケーブルと圧接端子との圧接状態を示す斜視図である。
【発明を実施するための形態】
【００３２】
以下、本発明に係る圧接コネクタの好適な実施形態について、図面を参照して詳細に説明する。
【００３３】
図１〜図１２は本発明に係る圧接コネクタの一実施形態を示したもので、図１は本発明に係る圧接コネクタの一実施形態の組立状態の斜視図、図２は図１に示した圧接コネクタを図１とは別の角度から視た斜視図、図３は一実施形態の圧接コネクタの第２のハウジング本体の上に第１のハウジング本体が重ねられる状況の斜視図、図４は本発明の一実施形態で使用している圧接端子の斜視図、図５は図４に示した圧接端子の圧接刃の装備状態を示した斜視図、図６は一実施形態における第１のハウジング本体の端子収容部に圧接端子が装着される前の状態を示す斜視図、図７は一実施形態における第１のハウジング本体の端子収容部に圧接端子が装着された状態の斜視図、図８は一実施形態の第１のハウジング本体上の圧接部の上にフラットケーブルが配置され、更に、フラットケーブルの上にカバーが配置された状態の斜視図、図９は図８の状態における圧接部と、フラットケーブルと、カバーの位置関係を示す要部断面図、図１０は第１のハウジング本体へのカバーの結合操作時に、カバーの下のフラットケーブルに圧接刃が刺さる過程を段階的に示した斜視図であり、図１０（ａ）は過程の前期、図１０(ｂ)は過程の中期、図１０（ｃ）は過程の後期を表す斜視図、図１１は第１のハウジング本体にカバーが結合された状態の斜視図、図１２は第１のハウジング本体へのカバーの結合によってフラットケーブルの圧接が完了した状態を示す断面図である。
【００３４】
この一実施形態の圧接コネクタ１は、フラットケーブル２００を圧接接続するコネクタで、図１〜図３に示すように、フラットケーブル２００と、複数の圧接端子１０と、ハウジング２０と、を備えている。
【００３５】
フラットケーブル２００は、図１３に示したように、複数の被覆電線２０１が平面状に配列されると共に、隣接する被覆電線２０１間がブリッジ部２１１で接続された構成を成している。ブリッジ部２１１は、被覆電線２０１の外部被覆と同一の絶縁材料製で、被覆電線２０１の外部被覆と一体である。
【００３６】
圧接端子１０は、金属板のプレス成形品で、図４及び図５に示すように、圧接部１４と、該圧接部１４の先端に延出形成された端子接続部１５と、を備える。
【００３７】
圧接部１４は、被覆電線２０１を該電線２０１の軸線と直交する方向に押し込むことで電線導体への圧接接続を果たす部位である。
【００３８】
圧接部１４は、底壁部１４１と、該底壁部１４１の両側を折り曲げ成形した一対の側壁部１４２と、それぞれの側壁部１４２に一体形成された一対の側壁刃１４３と、一対の圧接刃１４４と、一対のケーブル突き刺し突起１４５と、を備える。
【００３９】
側壁部１４２は、底壁部１４１の両側縁を、底壁部１４１と直交する方向に折り曲げることで、形成されている。
【００４０】
一対の側壁刃１４３は、一対の側壁部１４２の一部を底壁部１４１と直交する上方（図４の矢印Ｘ２方向）に延長することで形成されている。側壁刃１４３は、その上端が、ブリッジ部２１１を切断する刃１４３ａになっている。刃１４３ａは、ブリッジ部２１１の切断時の抵抗力を軽減するために、刃の両端部１４３ｂが傾斜した折れ線形状になっている。一対の側壁刃１４３は、フラットケーブル２００が押し付けられたときに、被覆電線２０１の両側のブリッジ部２１１を被覆電線２０１から切り離す。
【００４１】
一対の圧接刃１４４は、図４及び図５に示すように、各側壁刃１４３の一部を、端子内部側に切り起こして形成されている。一対の圧接刃１４４は、端子内部側の縁１４４ａが刃であり、一対の側壁刃１４３間に進入する被覆電線２０１の被覆を、電線の進入方向（図５の矢印Ｘ３方向）に沿って切断する。そして、圧接刃１４４は、被覆電線２０１の被覆を切断した刃先が電線導体と接触する。
【００４２】
また、一対の圧接刃１４４は、図４及び図５に示すように、切り起こしの際に形成される折り曲げ部１４４ｂが、圧接刃１４４の刃の長さ方向（底壁部１４１と直交する方向）に沿って延在して、圧接刃１４４の曲げ強度を向上させる補強構造として機能する。
【００４３】
一対のケーブル突き刺し突起１４５は、一対の側壁刃１４３から圧接部１４の後端側に離間した位置に装備されている。一対のケーブル突き刺し突起１４５は、側壁刃１４３と同様に、一対の側壁部１４２の一部を底壁部１４１と直交する上方（図４の矢印Ｘ２方向）に延長することで形成されている。
【００４４】
一対のケーブル突き刺し突起１４５は、圧接部１４に圧接されるフラットケーブル２００のブリッジ部２１１に突き刺さって、フラットケーブル２００に作用する張力を受ける。
【００４５】
一対のケーブル突き刺し突起１４５と一対の側壁刃１４３とは、突出高さが異なっている。これは、これらのケーブル突き刺し突起１４５及び側壁刃１４３がブリッジ部２１１を貫通するタイミングをずらして、突き刺し時の抵抗力（操作力）を軽減する意図である。本実施形態の場合、ケーブル突き刺し突起１４５の方が、側壁刃１４３よりも突出高さが低く設定されている。そのため、図１０に示すように、ブリッジ部２１１を貫通するタイミングが、側壁刃１４３の方が早く、後からケーブル突き刺し突起１４５がブリッジ部２１１に突き刺さる。このことで、ケーブル突き刺し突起１４５及び側壁刃１４３がブリッジ部２１１を貫通する際の抵抗力を軽減することができる。
【００４６】
端子接続部１５は、圧接部１４の先端に延出形成された角筒状構造で、相手コネクタ側の雄型の接続端子に嵌合接続される。この端子接続部１５は、図４に示すように、上壁部１５１に、抜け止め用のランス１５２が設けられている。抜け止め用のランス１５２は、上壁部１５１の一部を切り起こすことで形成されている。抜け止め用のランス１５２は、端子接続部１５を後述する端子収容部２４１の端子挿入孔２４１ａに挿入した際に、端子挿入孔２４１ａ内に装備されている係止部に係合して、抜け止めを果たす。
【００４７】
ハウジング２０は、図１〜図３に示すように、ハウジング本体２３と、該ハウジング本体２３に結合されるカバー２６と、を備える。また、ハウジング本体２３は、上面側に上記のカバー２６が結合される第１のハウジング本体２４と、この第１のハウジング本体２４の下面に積層状態に結合される第２のハウジング本体２５と、を備えている。
【００４８】
ハウジング本体２３の構成部品である第１のハウジング本体２４は、図６に示すように、上面部に、端子収容部２４１を有している。
【００４９】
端子収容部２４１は、フラットケーブル２００の複数の被覆電線２０１を一括して複数の圧接端子１０の圧接部１４に押し込むことができるように、複数の圧接端子１０を整列状態に支持する。具体的には、端子収容部２４１には、圧接端子１０の端子接続部１５を挿入可能な複数の端子挿入孔２４１ａが、フラットケーブル２００における被覆電線２０１の配列ピッチに対応するピッチで、形成されている。端子収容部２４１は、端子挿入孔２４１ａに端子接続部１５を嵌合させることで、圧接端子１０を保持する。端子挿入孔２４１ａ内には、端子接続部１５の抜け止め用のランス１５２と係合して圧接端子１０を抜け止めする係止部（不図示）が装備されている。
【００５０】
言い換えると、端子収容部２４１は、図７に示すように、複数の圧接端子１０を、フラットケーブル２００における被覆電線２０１の配列ピッチに対応するピッチで、整列状態に支持する。
【００５１】
端子収容部２４１は、圧接端子１０の圧接部１４が載置される範囲が、圧接部１４を外部に露出させる開口部（開放部）２４２となっている。言い換えると、ハウジング２０における第１のハウジング本体２４は、上面に、端子収容部２４１に並ぶ複数の圧接端子１０の圧接部１４を露出させる開口部２４２を有している。
【００５２】
第１のハウジング本体２４は、図２及び図３に示すように、その両側部に、第２のハウジング本体２５と結合するための結合片２４４，２４５が備えられている。
【００５３】
また、図示はしていないが、第１のハウジング本体２４の下面には、該第１のハウジング本体２４を第２のハウジング本体２５の上面に組み付けた際に、第２のハウジング本体２５の上面に載置したフラットケーブル２００を第２のハウジング本体２５内の圧接端子１０の圧接部１４に押し込む電線押さえ片が突設されている。この電線押さえ片は、図９に示したカバー２６の電線押さえ片２６４と同様の構成でよい。
【００５４】
第２のハウジング本体２５は、第１のハウジング本体２４が重なる上面に、端子収容部２５１と、開口部２５２と、を備えている。
【００５５】
端子収容部２５１は第１のハウジング本体２４における端子収容部２４１と同様の構造であり、開口部２５２は第１のハウジング本体２４における開口部２４２と同様の構造である。
【００５６】
即ち、端子収容部２５１には、図３に示すように、圧接端子１０の端子接続部１５を挿入可能な複数の端子挿入孔２５１ａが、フラットケーブル２００における被覆電線２０１の配列ピッチに対応するピッチで、形成されている。端子収容部２５１は、端子挿入孔２５１ａに端子接続部１５を嵌合させることで、圧接端子１０を保持する。端子挿入孔２５１ａ内には、端子接続部１５の抜け止め用のランス１５２と係合して圧接端子１０を抜け止めする係止部（不図示）が装備されている。
【００５７】
言い換えると、端子収容部２５１は、図３に示すように、複数の圧接端子１０を、フラットケーブル２００における被覆電線２０１の配列ピッチに対応するピッチで、整列状態に支持する。
【００５８】
また、端子収容部２５１は、圧接端子１０の圧接部１４が載置される範囲が、圧接部１４を外部に露出させる開口部（開放部）２５２となっている。言い換えると、ハウジング２０における第２のハウジング本体２５は、端子収容部２５１に並ぶ複数の圧接端子１０の圧接部１４を露出させる開口部２５２を有している。
【００５９】
第２のハウジング本体２５は、図２及び図３に示すように、その両側部に、ハウジング結合溝２５４が設けられている。第２のハウジング本体２５は、図２に示すように、第１のハウジング本体２４の結合片２４４，２４５の先端部（係合突起）がハウジング結合溝２５４に係合することで、第１のハウジング本体２４の下面に積層状態に結合される。
【００６０】
第２のハウジング本体２５は、端子収容部２５１が装備されている側とは逆側の外面に、ロック機構２５６が設けられている。
【００６１】
ロック機構２５６は、圧接コネクタ１を相手コネクタに嵌合接続させたときに、相手コネクタのロック部と係合することで、圧接コネクタ１と相手コネクタとの嵌合状態をロックする。
【００６２】
カバー２６は、図８に示すように、第１のハウジング本体２４の開口部２４２の上を覆うカバー本体部２６１と、カバー本体部２６１の両側に延設された連結片２６２と、を備えている。連結片２６２は、カバー２６を第１のハウジング本体２４の開口部２４２に被せた際に、第１のハウジング本体２４の係止突起２４７と係合することで、カバー２６を第１のハウジング本体２４に結合する。即ち、カバー２６は、開口部２４２の上を覆って、ハウジング本体２３に結合される。
【００６３】
図９及び図１２に示すように、フラットケーブル２００と対向するカバー２６の内面側には、フラットケーブル２００の被覆電線２０１を一対の圧接刃１４４間に押し込む電線押さえ片２６４が突設されている。
【００６４】
次に、本実施形態における圧接コネクタ１の組立手順を説明する。
まず、図６及び図７に示すように、第１のハウジング本体２４の端子収容部２４１に、複数の圧接端子１０を整列配置する。
【００６５】
次いで、図８及び図９に示すように、開口部２４２に露出する各圧接部１４の上にフラットケーブル２００を載せ、更に、フラットケーブル２００の上にカバー２６を載せる。そして、カバー２６をハウジング本体２３に結合させるために、図９に矢印Ｘ４で示すように、カバー２６を第１のハウジング本体２４側に押し込むと、図１０（ａ），（ｂ），（ｃ）に示すように、フラットケーブル２００が圧接部１４に押し込まれて、フラットケーブル２００の各被覆電線２０１が圧接部１４に圧接される。
【００６６】
図１１及び図１２に示すように、カバー２６の第１のハウジング本体２４への結合が完了すると、フラットケーブル２００の各被覆電線２０１の圧接刃１４４への圧接も完了する。
【００６７】
次いで、図３に示すように、第２のハウジング本体２５の開口部２５２に並ぶ各圧接部１４の上にフラットケーブル２００を載せた状態で、第２のハウジング本体２５の上に第１のハウジング本体２４を載置する。次いで、第１のハウジング本体２４を第２のハウジング本体２５に結合させるために、第１のハウジング本体２４を第２のハウジング本体２５側に押し込むと、第２のハウジング本体２５の上に載置されていたフラットケーブル２００が第２のハウジング本体２５内の圧接部１４に押し込まれる。図２に示すように、第１のハウジング本体２４の第２のハウジング本体２５への結合が完了すると、第２のハウジング本体２５内の圧接部１４に対するフラットケーブル２００の圧接が完了する。
【００６８】
以上に説明した一実施形態の圧接コネクタ１の場合、ハウジング２０に収容される圧接端子１０の圧接部１４には、フラットケーブル２００が押し付けられたときに被覆電線２０１の両側のブリッジ部２１１を被覆電線２０１から切り離す一対の側壁刃１４３と、ブリッジ部２１１から切り離されて一対の側壁刃１４３間に進入する被覆電線２０１と圧接状態となる圧接刃１４４と、を備えている。
【００６９】
そのため、フラットケーブル２００を圧接端子１０の圧接部１４に圧接する際に、フラットケーブル２００の隣接する被覆電線２０１間を接続しているブリッジ部２１１を事前に切除する作業が不要で、フラットケーブル２００に圧接コネクタ１を接続したワイヤハーネスの生産性を向上させることができる。
【００７０】
また、以上に説明した一実施形態の圧接コネクタ１の場合、圧接刃１４４は、側壁刃１４３の一部を切り起こして形成されていて、切り起こしの際に形成される折り曲げ部１４４ｂが、圧接刃１４４の刃の長さ方向に沿って延在して、圧接刃１４４の曲げ強度を向上させる補強構造として機能する。そのため、圧接刃１４４が高強度になる。従って、圧接端子１０をハウジング本体２３に装着する際や圧接端子１０の圧接部１４に被覆電線２０１を押し込む際に、圧接刃１４４に変形が生じ難い。そのため、圧接端子１０をハウジング本体２３に装着する作業時や圧接端子１０の圧接部１４に被覆電線２０１を押し込む作業時の取り扱いが容易になり、この点でも、組立時等における作業性が向上して、ワイヤハーネスの生産性を向上させることができる。
【００７１】
また、以上に説明した一実施形態の圧接コネクタ１の場合、フラットケーブル２００を複数の圧接端子１０に圧接させる作業は、ハウジング本体２３上に配列されている各圧接部１４の上にフラットケーブル２００を載せ、更に、そのフラットケーブル２００の上にカバー２６を載せ、カバー２６をハウジング本体２３に結合させるためにハウジング本体２３側に押し込むと、カバー２６を介してフラットケーブル２００が圧接部１４に押し込まれて、フラットケーブル２００を簡単に一括接続することができる。
【００７２】
また、以上に説明した一実施形態の圧接コネクタ１の場合、ハウジング本体２３は、第１のハウジング本体２４の下に第２のハウジング本体２５が積層状態に結合される構成である。更に、第１のハウジング本体２４と第２のハウジング本体２５とは、何れも上面に、複数の圧接端子１０を整列状態に支持する端子収容部２４１と、端子収容部２４１に収容されている圧接端子１０の圧接部１４を露出させる開口部２４２と、を備えている。
【００７３】
そして、第２のハウジング本体２５の上面の圧接部１４の上にフラットケーブル２００を載せて、その上に載せた第１のハウジング本体２４を第２のハウジング本体２５側に押し込むと、第１のハウジング本体２４が、第１のハウジング本体２４に対するカバー２６と同様に、フラットケーブル２００を圧接刃１４４に押し込んで圧接させる役割を果たす。
【００７４】
そのため、第２のハウジング本体２５には、フラットケーブル２００を押し込むためのカバー２６を装備する必要が無く、構成部品の増加を抑えて、省スペースで、多段にフラットケーブル２００を圧接した構造を得ることができる。
【００７５】
また、以上に説明した一実施形態の圧接コネクタ１の場合、圧接端子１０における圧接部１４には、ケーブル突き刺し突起１４５が設けられていて、このケーブル突き刺し突起１４５がフラットケーブル２００のブリッジ部２１１に突き刺さって、フラットケーブル２００に作用する張力を受ける。そのため、外部からフラットケーブル２００に作用する張力が圧接刃１４４に作用することを防止する。従って、圧接刃１４４がフラットケーブル２００に作用する張力によって変形することを防止して、圧接刃１４４とケーブル導体との接続信頼性を向上させることができる。
【００７６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７７】
例えば、前述した実施形態では、圧接端子１０の圧接部には、対向して一対の圧接刃１４４を配置し、これらの一対の圧接刃１４４間に被覆電線２０１を挿入させる構成であったが、圧接刃１４４は片側だけに設けて、圧接刃１４４と対向する側には、被覆電線２０１を圧接刃１４４に沿って移動可能に押さえるガイド壁を設けるようにしても良い。
【００７８】
また、上記実施形態のハウジング本体２３は、第１のハウジング本体２４と第２のハウジング本体２５との２段構造に構成して、それぞれのハウジング本体２４，２５にフラットケーブル２００が圧接される構成であったが、ハウジング本体２３を更に多段に構成して、圧接接続するフラットケーブル２００を更に増やすことも可能である。
【００７９】
ここで、上述した本発明に係る圧接コネクタの実施形態の特徴をそれぞれ以下［１］〜［５］に簡潔に纏めて列記する。
【００８０】
［１］  複数の被覆電線（２０１）が平面状に配列されると共に隣接する前記被覆電線（２０１）間がブリッジ部（２１１）で接続されたフラットケーブル（２００）を圧接接続する圧接コネクタ（１）であって、
前記被覆電線（２０１）を該被覆電線（２０１）の軸線と直交する方向に押し込むことで電線導体への圧接接続を果たす圧接部（１４）を備える複数の圧接端子（１０）と、
前記フラットケーブル（２００）の複数の前記被覆電線（２０１）を一括して複数の前記圧接端子（１０）の圧接部（１４）に押し込むことができるように、複数の前記圧接端子（１０）を前記フラットケーブル（２００）における前記被覆電線（２０１）の配列ピッチに対応するピッチで整列状態に支持する端子収容部（２４１）を有したハウジング（２０）と、
を備え、
前記圧接部（１４）は、前記フラットケーブル（２００）が押し付けられたときに前記被覆電線（２０１）の両側の前記ブリッジ部（２１１）を前記被覆電線（２０１）から切り離す一対の側壁刃（１４３）と、該一対の側壁刃（１４３）間に進入する前記被覆電線（２０１）の被覆を進入方向に沿って切断して刃先が前記電線導体と接触する圧接刃（１４４）と、を備えたことを特徴とする圧接コネクタ（１）。
【００８１】
［２］  前記圧接刃（１４４）は、前記側壁刃（１４３）の一部を切り起こして形成され、切り起こしの際の折り曲げ部（１４４ｂ）が前記被覆電線（２０１）の進入方向に沿って延在することを特徴とする上記［１］に記載の圧接コネクタ（１）。
【００８２】
［３］  前記ハウジング（２０）は、前記端子収容部（２４１）に並ぶ複数の前記圧接端子（１０）の前記圧接部（１４）を露出させる開口部（２４２）を有したハウジング本体（２３）と、前記開口部（２４２）の上を覆って前記ハウジング本体（２３）に結合されるカバー（２６）と、を備え、
前記開口部（２４２）に露出する各前記圧接部（１４）の上に前記フラットケーブル（２００）を載せると共に、前記フラットケーブル（２００）の上に前記カバー（２６）を載せ、前記カバー（２６）を前記ハウジング本体（２３）に結合させるために前記カバー（２６）を前記ハウジング本体（２３）側に押し込むと、前記フラットケーブル（２００）が前記圧接部（１４）に押し込まれて、前記フラットケーブル（２００）の各前記被覆電線（２０１）が前記圧接部（１４）に圧接されることを特徴とする上記［１］又は［２］に記載の圧接コネクタ（１）。
【００８３】
［４］  前記ハウジング本体（２３）は、上面に前記開口部（２４２）を有した第１のハウジング本体（２４）と、該第１のハウジング本体（２４）の下面に積層状態に結合される第２のハウジング本体（２５）と、を備え、
前記第２のハウジング本体（２５）は、前記第１のハウジング本体（２４）が重なる上面に、前記端子収容部（２５１）と前記開口部（２５２）とを備え、
前記第２のハウジング本体（２５）の前記開口部（２５２）に並ぶ各前記圧接部（１４）の上に前記フラットケーブル（２００）を載せた状態で、前記第２のハウジング本体（２５）の上に前記第１のハウジング本体（２４）を載置し、前記第１のハウジング本体（２４）を前記第２のハウジング本体（２５）に結合させるために前記第１のハウジング本体（２４）を前記第２のハウジング本体（２５）側に押し込むと、前記第２のハウジング本体（２５）の上に載置されていた前記フラットケーブル（２００）が前記第２のハウジング本体（２５）内の前記圧接部（１４）に押し込まれて、前記第２のハウジング本体（２５）内の前記圧接部（１４）に対する前記フラットケーブル（２００）の圧接が完了することを特徴とする上記［３］に記載の圧接コネクタ（１）。
【００８４】
［５］  前記圧接部（１４）は、一対の前記側壁刃（１４３）から前記圧接部（１４）の後端側に離間した位置にケーブル突き刺し突起（１４５）を備え、該ケーブル突き刺し突起（１４５）は、前記圧接部（１４）に圧接される前記フラットケーブル（２００）の前記ブリッジ部（２１１）に突き刺さって前記フラットケーブル（２００）に作用する張力を受けることを特徴とする上記［１］〜［４］の何れか一つに記載の圧接コネクタ（１）。
【符号の説明】
【００８５】
１  圧接コネクタ
１０  圧接端子
１４  圧接部
１５  端子接続部
２０  ハウジング
２３  ハウジング本体
２４  第１のハウジング本体
２５  第２のハウジング本体
２６  カバー
１４３  側壁刃
１４４  圧接刃
１４４ｂ  折り曲げ部
１４５  ケーブル突き刺し突起
２００  フラットケーブル
２０１  被覆電線
２１１  ブリッジ部
２４１  端子収容部
２４２  開口部
２５１  端子収容部
２５２  開口部
【図１】
2014086168.tif 000003
【図２】
2014086168.tif 000004
【図３】
2014086168.tif 000005
【図４】
2014086168.tif 000006
【図５】
2014086168.tif 000007
【図６】
2014086168.tif 000008
【図７】
2014086168.tif 000009
【図８】
2014086168.tif 000010
【図９】
2014086168.tif 000011
【図１０】
2014086168.tif 000012
【図１１】
2014086168.tif 000013
【図１２】
2014086168.tif 000014
【図１３】
2014086168.tif 000015